(57)【要約】      （修正有）【課題】建造物の補修作業をする場合等に、充填剤があふれ出ないような微調整を行え、安全に作業を行うことが出来るコンパクトな充填器具の実現。【解決手段】ハンドガン型の充填器具は、カートリッジ１１の充填剤１１３の吐出量を調整する可動式のコントロールバー１２と、コントロールバー１２を連動させる送り機構を動作させるための引き金を備えた器具本体部１３とを備え、充填剤１１３が収容された筒形状のカートリッジ１１をはめ込み使用するハンドガン型の充填器具であって、器具本体部１３の引き金を引くことにより、コントロールバー送り機構を介し、コントロールバー１２の先端が、はめ込んだカートリッジ１１の内部の押子１１２に圧力をかけ、充填剤１１３がはめ込んだカートリッジ１１の吐出口から吐出され、引いた引き金を戻すことにより、コントロールバー送り機構を介し、コントロールバー１２が、引き金を引く前の位置に戻る。【選択図】図１
2011190596.tif 000002
【特許請求の範囲】
【請求項１】
カートリッジの充填剤の吐出量を調整する可動式のコントロールバーと、
前記コントロールバーを連動させる送り機構を動作させるための引き金を備えた器具本体部と、
を備えた、充填剤が収容された筒形状の前記カートリッジをはめ込み使用するハンドガン型の充填器具であって、
前記コントロールバーは、
前記器具本体部の少なくとも２箇所を貫通しており、
前記器具本体部は、
前記器具本体部の２箇所の貫通部の間のコントロールバー部分に、コントロールバーを連動させる前記送り機構を備え、
前記器具本体部の引き金を戻す際の前記コントロールバーの後退動作を防ぐ後退防止機構を採用しておらず、
前記器具本体部の引き金を引くことにより、前記コントロールバー送り機構を介し、前記コントロールバーの先端が、前記はめ込んだカートリッジの内部の押子に圧力をかけ、前記充填剤が当該はめ込んだカートリッジの吐出口から吐出され、
当該引いた引き金を戻すことにより、前記コントロールバー送り機構を介し、前記コントロールバーが、引き金を引く前の位置に戻ること、
を特徴とする前記カートリッジをはめ込み使用するハンドガン型の充填器具。
【請求項２】
充填剤が収容された筒形状のカートリッジと、
前記カートリッジの充填剤の吐出量を調整する可動式のコントロールバーと、
前記コントロールバーを連動させる送り機構を動作させるための引き金を備えた器具本体部と、
を備えた、ハンドガン型の充填器具であって、
前記カートリッジには、
前記筒形状の一方の端部に、前記充填剤を吐出する吐出口が形成され、
前記筒形状の内部に、前記コントロールバーの先端からの圧力を受けて前記充填剤を押出すための可動式の押子が形成され、
当該吐出口と当該可動式の押子の間の空間に前記充填剤が収容されており、
前記カートリッジの吐出口とは反対の端部と、前記器具本体部とは、
はめ込んで固定できるように構成されており、
前記コントロールバーは、
前記器具本体部の少なくとも２箇所を貫通しており、
前記器具本体部は、
前記器具本体部の２箇所の貫通部の間のコントロールバー部分に、コントロールバーを連動させる前記送り機構を備え、
前記器具本体部の引き金を戻す際の前記コントロールバーの後退動作を防ぐ後退防止機構を採用しておらず、
前記器具本体部の引き金を引くことにより、前記コントロールバー送り機構を介し、前記コントロールバーの先端が、前記カートリッジの押子に圧力をかけ、前記充填剤が前記吐出口から吐出され、
当該引いた引き金を戻すことにより、前記コントロールバー送り機構を介し、前記コントロールバーが、引き金を引く前の位置に戻ること、
を特徴とするハンドガン型の充填器具。
【請求項３】
前記カートリッジと、前記器具本体部とを、はめ込み固定した後に、
当該固定部分を、係止部材で係止したことを特徴とする、請求項１又は２記載のハンドガン型の充填器具。
【請求項４】
前記器具本体部に、充填器具の利用者の衣服に係止するための係止具を備えていることを特徴とする、請求項１又は２記載のハンドガン型の充填器具。
【請求項５】
前記カートリッジの吐出口に、吐出する充填剤を平らに均すための均し部材を備えていることを特徴とする、請求項２記載のハンドガン型の充填器具。
【発明の詳細な説明】
【技術分野】
【０００１】
本発明は、マンション、ビルやホテル、港湾施設、防波堤、橋脚、などの各種の建造物の壁面等に発生した、亀裂やモルタルの浮き部分等に、補修用の充填剤を充填するのに用いられる携帯型の充填装置に関するものである。
【背景技術】
【０００２】
マンション、ビルやホテル、港湾施設、防波堤、橋脚、などの各種の建造物の壁面等には、経年劣化によって、「モルタルの浮き」や「躯体のひび割れ」等が発生し、これらは、「モルタルの剥落」や「酸性雨水による躯体コンクリートの中性化」等の原因となっている。そのため、建造物の管理者は、建造物の経済的価値を保つために、建造物の劣化状態を定期的に調査し、適切な時期に補修工事を行う必要がある。
【０００３】
例えば、「モルタルの浮き」が見つかった場合には、コンクリートとモルタルとの隙間に充填剤を注入して「モルタルの剥落」を防止する必要がある。他にも、「躯体のひび割れ」が見つかった場合には、ひび割れ部分に充填剤を注入することにより、「酸性雨による水の浸入」を防止する必要がある。
【０００４】
このため、従来では、図５に示すようなガン型の充填器具５１を用いて、充填剤のカートリッジ５２内に収容された充填剤を建造物の壁面等の充填箇所Ａへ注入し、補修工事を行っていた。
【０００５】
このような建造物の壁面等の補修工事の多くは、狭い足場の上での施工となるため、充填器具は、取扱いが簡単で、かつ持運びに便利なものでなければならない。
【０００６】
しかし、従来の充填器具５１では、建造物の壁面等の補修工事における充填剤のカートリッジ５２の交換が非常に面倒であるため、一般的に、充填剤のカートリッジ５２の充填剤容量が４００ｍｌ〜１０００ｍｌ程度と、多めの量に設定されていた。よって、手動で引き金５３を引く動作によってコントロールバー５４を前方に動かし、充填剤のカートリッジ５２から充填剤を押し出すようにする、充填剤の注入作業には、大きな圧力をかけるため過大な力を必要とし、取扱いが難しかった。
【０００７】
さらに、手動で引き金５３を引く動作による充填剤のカートリッジ５２からの充填剤を押し出す作業は、充填剤の微調整が難しく、過大な充填剤を注入してしまうことによる、充填剤のロスが生じていた。
これに加え、充填剤を押し出すための大きな圧力を生み出すため、引き金５３が大きくなりがちであり、取扱いや使用に不便な面があった。
【０００８】
そして、一般的な従来の充填器具５１では、充填剤を押し出すための圧力への反発を防ぐために、手動で引き金５３を引いてコントロールバー５４を前方に動かした後に、引き金５３を戻す際のコントロールバー５４の後退動作を防ぐ後退防止機構５５を採用しなければならなかった。しかし、この後退防止機構５５により、充填剤の微調整を困難にする弊害が生じていた。
【０００９】
また、充填剤カートリッジ５２の充填剤の容量が多いこととの関係上、従来の充填器具５１の横の長さは、一般的に、４０ｃｍ〜６０ｃｍもあり、重量も、充填剤のカートリッジ５２を含めた全体の重さが1キログラム前後あるものが多く、何かに引っ掛けたり、重さに耐えられず落とす可能性もある。例えば、１０ｍ以上の高所での建造物の壁面等の補修工事において、もし、従来の充填器具５１を落下させてしまうことがあると、通行人等に甚大な被害が生じる可能性があるという問題もあった。
【００１０】
さらに、以下の特許文献に示されるような充填器具も存在するが、やはり、充填剤のカートリッジから充填剤を押し出すに際しての微調整は難しく、小型化、軽量化、という観点で困難が伴う。
【先行技術文献】
【特許文献】
【００１１】
【特許文献１】特開２００２−１１３４０５号公報
【特許文献２】特許４０２０７２２号公報
【発明の概要】
【発明が解決しようとする課題】
【００１２】
本願に係る発明の課題は、ビル等の高所や身動きが取りにくい狭い所で、建造物の亀裂や浮きモルタルなどに樹脂を注入して補修作業をする場合や、壁材の目地に樹脂を充填する場合であっても、隙間やひび割れの奥まで十分に適量の充填剤を注入し、充填剤があふれ出ないような微調整を行え、安全に補修作業を行うことが出来るコンパクトな充填器具の実現である。
【課題を解決するための手段】
【００１３】
１、
【００１４】
（１）
そこで、本発明に係るハンドガン型の充填器具は、
カートリッジの充填剤の吐出量を調整する可動式のコントロールバーと、
前記コントロールバーを連動させる送り機構を動作させるための引き金を備えた器具本体部と、
を備えた、充填剤が収容された筒形状の前記カートリッジをはめ込み使用するハンドガン型の充填器具であって、
前記コントロールバーは、
前記器具本体部の少なくとも２箇所を貫通しており、
前記器具本体部は、
前記器具本体部の２箇所の貫通部の間のコントロールバー部分に、コントロールバーを連動させる前記送り機構を備え、
前記器具本体部の引き金を戻す際の前記コントロールバーの後退動作を防ぐ後退防止機構を採用しておらず、
前記器具本体部の引き金を引くことにより、前記コントロールバー送り機構を介し、前記コントロールバーの先端が、前記はめ込んだカートリッジの内部の押子に圧力をかけ、前記充填剤が当該はめ込んだカートリッジの吐出口から吐出され、
当該引いた引き金を戻すことにより、前記コントロールバー送り機構を介し、前記コントロールバーが、引き金を引く前の位置に戻ること、
を特徴とする前記カートリッジをはめ込み使用するハンドガン型の充填器具である。
【００１５】
（２）
「充填剤」の例として、弾性のエポキシ樹脂、が考えられる。
「器具本体部の２箇所の貫通部の間のコントロールバー部分に、コントロールバーを連動させる送り機構」とは、例えば、当該コントロールバー部分について、器具本体部の引き金と連動する送り機構板を貫通させるとともに、当該送り機構板の動作を安定させるスプリングを通すことが考えられる。
これにより、器具本体部の引き金を引くことにより、送り機構板が前方に可動し、器具本体部の引き金を戻すことにより、送り機構板が後方に可動することにより、コントロールバーを前後に動作させる機構になっており、コントロールバーの先端が、カートリッジの押子に圧力をかけ、充填剤が吐出口から吐出されることになる。
「器具本体部の２箇所の貫通部の間のコントロールバー部分」とは、コントロールバーが器具本体部の少なくとも２箇所を貫通しているため、その貫通箇所のうち、いずれかの２箇所の貫通部の間のコントロールバー部分、という意味である。
【００１６】
（３）
本発明により、ビル等の高所や身動きが取りにくい狭い所で、建造物の亀裂や浮きモルタルなどに樹脂を注入して補修作業をする場合や、壁材の目地に樹脂を充填する場合であっても、隙間やひび割れの奥まで十分に適量の充填剤を注入し、充填剤があふれ出ないような微調整を行え、安全に補修作業を行うことが出来るコンパクトな充填器具の実現ができる。
充填剤が収容された筒形状のカートリッジを、充填器具本体部に、はめ込み使用する点や、コントロールバーの後退動作を防ぐ後退防止機構を採用していない点は、小型でコンパクトな携帯型の充填器具に適しており、例えば、充填剤のカートリッジの充填剤容量が４５ｍｌ程度、コントロールバーや充填器具の横の長さは２０ｃｍ前後、重量が充填剤のカートリッジを含めた全体の重さが３００グラム前後、のように、従来の充填器具に比べ、格段に小型化が可能である。
充填剤が収容された筒形状のカートリッジの交換も容易であり、充填器具の重さが軽いため、落下した場合の危険度もかなり軽減でき、落下させてしまうリスクも大幅に減らすことができる。また、従来よりも軽量であるので、充填器具の利用者の疲労の蓄積も抑えることができる。
【００１７】
２、
【００１８】
（１）
また、他の発明に係るハンドガン型の充填器具は、
充填剤が収容された筒形状のカートリッジと、
前記カートリッジの充填剤の吐出量を調整する可動式のコントロールバーと、
前記コントロールバーを連動させる送り機構を動作させるための引き金を備えた器具本体部と、
を備えた、ハンドガン型の充填器具であって、
前記カートリッジには、
前記筒形状の一方の端部に、前記充填剤を吐出する吐出口が形成され、
前記筒形状の内部に、前記コントロールバーの先端からの圧力を受けて前記充填剤を押出すための可動式の押子が形成され、
当該吐出口と当該可動式の押子の間の空間に前記充填剤が収容されており、
前記カートリッジの吐出口とは反対の端部と、前記器具本体部とは、
はめ込んで固定できるように構成されており、
前記コントロールバーは、
前記器具本体部の少なくとも２箇所を貫通しており、
前記器具本体部は、
前記器具本体部の２箇所の貫通部の間のコントロールバー部分に、コントロールバーを連動させる前記送り機構を備え、
前記器具本体部の引き金を戻す際の前記コントロールバーの後退動作を防ぐ後退防止機構を採用しておらず、
前記器具本体部の引き金を引くことにより、前記コントロールバー送り機構を介し、前記コントロールバーの先端が、前記カートリッジの押子に圧力をかけ、前記充填剤が前記吐出口から吐出され、
当該引いた引き金を戻すことにより、前記コントロールバー送り機構を介し、前記コントロールバーが、引き金を引く前の位置に戻ること、
を特徴とするハンドガン型の充填器具である。
【００１９】
３、
【００２０】
（１）
また、他の発明に係るハンドガン型の充填器具は、
前記カートリッジと、前記器具本体部とを、はめ込み固定した後に、
当該固定部分を、係止部材で係止したことを特徴とする。
【００２１】
（２）
「係止」とは、係わり合って止まることを意味する。
「カートリッジと、器具本体部とを、はめ込み固定した後に、当該固定部分を、係止する係止部材」の具体例として、締め付けの力が強い輪形状のゴムを採用することが考えられる。
【００２２】
（３）
本発明により、カートリッジと、器具本体部との固定が強化されるため、ビル等の高所での作業中に、カートリッジが外れて落下してしまう、というトラブルを未然に防ぐ事ができるため、安全に補修作業を行うことが出来る。さらに、カートリッジに収容された充填剤が無くなってしまった場合も、係止部材と、はめ込みを外せば、カートリッジの交換に手間がかからないため、作業時間のロスにも繋がらない。
【００２３】
４、
【００２４】
（１）
また、他の発明に係るハンドガン型の充填器具は、
前記器具本体部に、充填器具の利用者の衣服に係止するための係止具を備えていることを特徴とする。
【００２５】
（２）
「器具本体部に備えている、充填器具の利用者の衣服に係止するための係止具」の具体例として、固定電話の受話機のコードのような、「スプリングケーブル」あるいは「カールコード」の先端に、利用者の衣服のベルトロープに係止できる「ベルトフック」を採用したもの、が該当する。
【００２６】
（３）
本発明により、ハンドガン型の充填器具の利用を妨げない態様で利用者の衣服に充填器具を係止しているため、ビル等の高所での作業中に、利用者がハンドガン型の充填器具カートリッジを、手元を誤り落下させてしまう、というトラブルを未然に防ぐ事ができるため、安全に補修作業を行うことが出来る。
【００２７】
５、
【００２８】
（１）
また、他の発明に係るハンドガン型の充填器具は、
前記カートリッジの吐出口に、吐出する充填剤を平らに均すための均し部材を備えていることを特徴とする。
【００２９】
（２）
「カートリッジの吐出口に備えている、吐出する充填剤を平らに均すための均し部材」の具体例として、カートリッジの吐出口から吐出された充填剤を外部に吐出する穴を設けた円柱形のシリコンチップ、が該当する。
【００３０】
（３）
本発明により、充填剤があふれ出ないような微調整を行え、吐出する充填剤を平らに均すことができ、充填剤の有効利用や補修後の美観性を向上させることができる。
【発明の効果】
【００３１】
本願に係る発明により、ビル等の高所や身動きが取りにくい狭い所で、建造物の亀裂や浮きモルタルなどに樹脂を注入して補修作業をする場合や、壁材の目地に樹脂を充填する場合であっても、隙間やひび割れの奥まで十分に適量の充填剤を注入し、充填剤があふれ出ないような微調整を行え、安全に補修作業を行うことが出来るコンパクトな充填器具の実現ができる。
【図面の簡単な説明】
【００３２】
【図１】本願に係るハンドガン型の充填器具の一実施例の外観図である。
【図２】図１のハンドガン型の充填器具から、本体カバーを取り外した図である。
【図３】図２のハンドガン型の充填器具において、器具本体部の引き金を引き、コントロールバーを動かした図である。
【図４】（ａ）は、図３のハンドガン型の充填器具に、本体カバーをかぶせ、器具本体部の引き金を戻し、コントロールバーが元の位置に戻った図である。              （ｂ）は、図３のハンドガン型の充填器具に、本体カバーをかぶせ、コントロールバーの後退動作を防ぐ後退防止機構を別途備え付けた場合に、器具本体部の引き金を戻した状態の図である。
【図５】従来の充填器具の外観図である。
【発明を実施するための形態】
【００３３】
１、  図１は、本願に係るハンドガン型の充填器具１の一実施例の外観図である。
【００３４】
同図に示すように、充填剤が収容された筒形状のカートリッジ１１と、カートリッジ１１の充填剤の吐出量を調整する可動式のコントロールバー１２と、コントロールバー１２を連動させる送り機構を動作させるための引き金を備えた器具本体部１３と、を備えている。
【００３５】
カートリッジ１１には、筒形状の一方の端部に、充填剤を吐出する吐出口１１１が形成され、筒形状の内部に、コントロールバーの先端からの圧力を受けて充填剤を押出すための可動式の押子１１２が形成され、当該吐出口１１１と当該可動式の押子１１２の間の空間に充填剤１１３が収容されている。
また、カートリッジの吐出口１１１に、吐出する充填剤を平らに均すための均し部材１１４を備えている。図１では、「吐出する充填剤を平らに均すための均し部材」の具体例として、カートリッジの吐出口から吐出された充填剤を外部に吐出する穴を設けた円柱形のシリコンチップ、を採用している。
【００３６】
カートリッジの吐出口１１１とは反対の端部と、器具本体部１３とは、はめ込んで固定できるように構成されている。
さらに、カートリッジ１１と、器具本体部１３とを、はめ込み固定した後に、当該固定部分を、係止部材１４で係止している。図１では、「係止部材１４」として、締め付けの力が強い輪形状のゴムを採用している。
【００３７】
また、図１のハンドガン型の充填器具１では、器具本体部１３に、充填器具の利用者の衣服に係止するための係止具１５を備えている。図１では、「係止具１５」として、固定電話の受話機のコードのような、「スプリングケーブル」あるいは「カールコード」の先端に、利用者の衣服のベルトロープに係止できる「ベルトフック」を採用したもの、を利用している。
【００３８】
図１のハンドガン型の充填器具１では、器具本体部１３の引き金１３１を戻す際のコントロールバー１２の後退動作を防ぐ後退防止機構を採用していない。
なお、図４（ｂ）、及び図５では、後退防止機構（４又は５５）を採用している充填器具を図示している。
【００３９】
２、  図２は、図１のハンドガン型の充填器具１から、本体カバー１３２を取り外した図である。
【００４０】
同図に示すように、コントロールバー１２は、器具本体部１３の２箇所を貫通しており、図２のハンドガン型の充填器具１においては、器具本体部１３の２箇所の貫通部の間のコントロールバー部分に、コントロールバー１２を連動させる送り機構１３３を備えている。
【００４１】
図２では、「コントロールバーを連動させる送り機構１３３」として、当該コントロールバー部分について、器具本体部の引き金１３１と連動する送り機構板１３４を貫通させるとともに、当該送り機構板の動作を安定させるスプリング１３５を通している。
これにより、器具本体部の引き金１３１を引くことにより、送り機構板１３４が前方に可動し、器具本体部の引き金を戻すことにより、送り機構板１３４が後方に可動することにより、コントロールバー１２を前後に動作させる機構になっており、コントロールバー１２の先端が、カートリッジの押子１１２に圧力をかけ、充填剤１１３が吐出口１１１から吐出されることになる。
【００４２】
３、  図３は、図２のハンドガン型の充填器具１において、器具本体部の引き金１３１を引き、コントロールバー１２を動かした図である。
【００４３】
器具本体部の引き金１３１を引くことにより、コントロールバー送り機構１３３を介し、コントロールバー１２の先端が、カートリッジの押子１１２に圧力をかけ、充填剤１１３が吐出口１１１から吐出される。
そして、当該引いた引き金１３１を戻すことにより、コントロールバー送り機構１３３を介し、コントロールバー１２が、引き金１３１を引く前の位置に戻る。
【００４４】
４、  図４（ａ）は、図３のハンドガン型の充填器具１に、本体カバー１３２をかぶせ、器具本体部の引き金１３１を戻し、コントロールバー１２が元の位置（図２の位置）に戻った図である。
【００４５】
コントロールバー１２の後退動作を防ぐ後退防止機構を採用していないため、器具本体部の引き金１３１の微調整により、充填剤の吐出の微調整が可能となる。
器具本体部の引き金１３１を強く握りすぎてしまった場合であっても、引き金１３１をすぐ戻せば、充填剤が出すぎるのを防ぐことができるため、充填剤の吐出の微調整が容易である。
あるいは、器具本体部の引き金１３１を、段階的に徐々に握っていく、という、充填剤の吐出の微調整も可能である。
【００４６】
一方、図４（ｂ）は、図３のハンドガン型の充填器具１に、本体カバー１３２をかぶせ、コントロールバー１２の後退動作を防ぐ後退防止機構４を別途備え付けた場合に、器具本体部の引き金１３１を戻した状態の図である。
コントロールバー１２の後退動作を防ぐ後退防止機構４を採用しているため、器具本体部の引き金１３１を引いてしまうと、一定量の充填剤の吐出がなされ、引き金を強く握りすぎてしまった場合に、充填剤を微調整することが困難となってしまう。
【産業上の利用可能性】
【００４７】
本願に係るハンドガン型の充填器具を製造、販売することにより、産業の発達に寄与することができる。
【図１】
2011190596.tif 000003
【図２】
2011190596.tif 000004
【図３】
2011190596.tif 000005
【図４】
2011190596.tif 000006
【図５】
2011190596.tif 000007